(57)【要約】【目的】  従来の埋め込み式スイッチ配線器具の取付枠に、同サイズで設置できるタイマー機能付きスイッチを開発する。  電気工事なしで、照明器具等のスイッチをタイマー機能内蔵型等のスイッチやカラフルスイッチに交換できるようにする。【構成】  受け側の配線器具４に、差し込み側配線器具２の足３を接続する。  押しボタンあるいは回転スイッチ１を操作すると点灯あるいは設定時間後に消灯する。アラームスイッチやセンサースイッチ等に交換することができる。【選択図】  図１
2007095643.tif 000002
【特許請求の範囲】
【請求項１】
埋め込み式スイッチ配線器具と平面の外形が同サイズで、電気工事段階で設置できるタイマー機能や明暗識別センサー機能や侵入者識別センサー機能や防犯センサー機能等を内蔵したスイッチ配線器具。
【請求項２】
従来の埋め込み式スイッチ配線器具を２つに分割し、受け口側配線器具と差し込み式スイッチ側配線器具を別々に製造する方式と製造される製品。。
【請求項３】
従来の埋め込み式スイッチ配線器具と同サイズにした、差し込み式の配線器具に対応できる受け口側の埋め込み式コンセントタイプの新配線器具。
【請求項４】
新開発の埋め込み式の受け口側配線器具に、そのまま差し込んで使用できる差し込み用の足を持った単路スイッチ配線器具、３路スイッチ配線器具、点灯時の発光表示機能内蔵スイッチ配線器具。
【請求項５】
新開発の埋め込み式の受け口側配線器具に、そのまま差し込んで設置できる差し込み用の足を持ったタイマー機能内蔵スイッチ配線器具。
【請求項６】
新開発の埋め込み式の受け口側配線器具に、そのまま差し込んで使用できる差し込み用の足を持ったカラフルな色彩を備えたスイッチ配線器具。
【請求項７】
新開発の埋め込み式の受け口側配線器具に、そのまま差し込んで使用できる差し込み用の足を持った夜間点灯センサー機能や防犯センサー機能等の多機能を備えた内蔵スイッチ。
【請求項８】
受け側配線器具と差し込み側配線器具を２本あるいは複数本の接続用の足で接続あるいは分離できる配線器具。
【発明の詳細な説明】
【技術分野】
【０００１】  本発明は、通常の埋め込み式スイッチにタイマー機能、夜間点灯機能、防犯センサー機能等を付加する方法に関するものである。
【背景技術】
【０００２】  コンセントに電気式タイマーを差し込み、設定時間経過後にＯＮＯＦＦする方法があり、電気ストーブやモータの運転等に利用されている。また配線器具に電気的あるいは電子回路タイマーを組み込み、設定時間でＯＮＯＦＦする方法も考えられている。配電盤の中に電気ＯＮＯＦＦタイマーを設置する方法が産業界では一般的に利用されている。【０００３】  しかし、従来のタイマー器具は専用の配電盤を必要としたり、あるいは電気のコンセントから電気コードを伸ばしてタイマーと接続することで機能させる方式が多い。また長時間の設定が可能だが大型化するし、小型化すると設置や利用に困難が伴う。また電源供給型タイマーは、精度は高いが電源のない場所では利用できない。既設照明器具に利用する場合は変更が困難である。
配線器具は形式が決まっているので、その模様や色彩の変更はできない。
【発明の開示】
【発明の解決しようとする課題】
【０００４】  解決しようとする問題点は、交流あるいは直流電源のない場所では電気式のタイマースイッチは利用できないことである。また配線器具の簡易変更は困難で専門技術者による電気工事が必要になることが多い。
タイマー機器が複雑化あるいは大型化する問題点もあるが、スイッチサイズに小型化できればその方が良いので小型化を進める。
機能と共に大型化する機器をどうしてスイッチケースに収容するか。
コンセント回路のように、簡単に設置できれば応用範囲が広がる。
夜間点灯回路、明暗識別回路、防犯センサー回路、リモコン回路機器が照明器具のスイッチと連動すると有利な場合がある。
タイマー配線器具を購入すれば簡単に変更できるならその方が良い。
住宅新築時の工事段階で、将来の変更や交換を可能にする方式に改めたい。
照明器具側にタイマーリレー内蔵アダプターを付加する方法もあるが、現行方式のスイッチを押しボタンスイッチに変更するのは難かしい。
【問題を解決するための手段】
【０００５】  本発明は、小型で埋め込みスイッチと平面外形サイズの同じ分離できる単路スイッチ、タイマー機能や明暗識別機能や夜間点灯機能や防犯センサー機能等を内蔵した電気工事段階で埋め込み施工できる新機能スイッチを開発する。
タイマー機能で機械方式は簡単な遅延機能だけのものは小型化も容易であり従来スイッチサイズにできるし、多少は大きくなっても構わない。
夜間点灯機能を持つスイッチや防犯識別機能を持つスイッチなどの場合は、既設スイッチボックスにそのまま施工出来ることもあるが、電源線が必要になる事もあるので設計段階で考慮すべき場合がある。
解決方法として、建物完成後でも電気工事なしで交換できる分離型のセパレートスイッチを開発する。その受け側の配線器具を開発生産する。
新開発の配線器具は各種付属品や新製品を可能にするので順次開発する。
本発明は、通常のスイッチを２つに分割して、その受け側の配線器具とスイッチ側配線器具を別々に製作して選択使用する方法である。
本発明は、電気工事段階でセパレートスイッチ器具対応の受け側配線器具を、通常のスイッチ配線器具の取付枠に取り付けて電気工事が完了する。工事終了後に用途に応じた差し込み型のスイッチ配線器具を設置できる。
この差し込み型スイッチとして機械式あるい電気式タイマースイッチを開発製作する。３路スイッチ回路でも同様に、３線配線に対応したコンセント型の配線器具をあらかじめ取り付けておくようにする。
普通の単機能スイッチも製作し、簡単に交換できるようにする。
各種の多機能スイッチは、それぞれの専門技術機関において研究開発を進めれば良いし、小型化技術が進み開発可能だと考えられる。
どうしても器具が大型化するので設置は不可能なように思えるが、本発明の製品は分離タイプなので最初に埋め込み側の配線器具を設置するだけで良い。
化粧プレートの取り付けが済んでから、少し大型になった差し込み側の配線器具を取り付ければ良い。取り付け用の足３は４本でも良いし、そのうち２本は支持用でも良い。またスイッチ用の足だけ差し込みビスどめすると堅固になるし、粘着テープを使う方法もある。
普通の単路スイッチと外形サイズの同じ、分離可能な単路スイッチを開発し用途に応じて工事段階で設置を進める。タイマー機能スイッチなどが開発できてから要望があったら交換する方法がある。押しボタンスイッチを使いたい時は同様にすぐ交換できる。受け側と機能スイッチ側を連結する足は２本でも良いが、４本の方が安定性が良いし応用性も良い。
電源線の＋−、スイッチ線、アース線、３路スイッチ線等に活用できる。
【発明の効果】
【０００６】  タイマースイッチの場合は、玄関や廊下などで省エネになる。
本発明のスイッチ配線器具は、スイッチ本体が分離するセパレートタイプなので工事段階で設置すれば、施工終了後の変更工事が不要になる。
単機能スイッチをつければ従来同様に利用できるし、タイマー機能スイッチをつければタイマースイッチになる。通常は機械式タイマーを使う。
故障したら新しいスイッチと交換すれば良いので工事不要で対応できる。
スイッチはＯＮ状態で点灯するが、電源コンセントとは違うものである。
普通のコンセントと規格サイズを変更するだけで混用を防止できる。。
古くなった配線器具は接触不良で点灯しないなどの故障もおきるが、本発明の配線方式の場合はスイッチ側の配線器具を簡単に交換できる利点がある。
スイッチの色彩をカラフルなものに交換することができる。
発光型表示スイッチのセパレート型も製作すれば、利用できる場合がある。
３路スイッチなどの特殊な回路を除けば、共通仕様の受け側配線器具を工事段階で設置しておけば、費用や用途でスイッチ側の配線器具を選択して設置すれば通常のスイッチと同じように使用できる。
新配線方式対応の各種セパレートスイッチが開発可能になる。
夜間点灯機能付きスイッチ、防犯センサー機能付きスイッチ等も各種新技術を応用して開発できれば交換して利用できる。。
設計段階で電気回路方式を検討すれば将来の増設に対応できる。
電気工事なしで、タイマリレー内蔵器具対応の押しボタンスイッチやタッチするだけのスイッチなどにも交換出来るようになる。。
電源を必要とするタイマースイッチも製造可能であるが、電気回路特有の事情により利用できる事もあればできない事もある。
【発明を実施するための最良の形態】
【０００７】  設計段階で採用する記号が表示され、標準化が進むのが良い。
本発明では、同時に従来方式の埋め込み式多機能スイッチ配線器具方式とセパレート型スイッチ対応の新配線器具方式が開発されることになる。
器具の小型化が進むほど設置が簡単になる。
従来方式にそのままで応用できるセパレートタイプ用の、サイズを合わせた埋め込み用の受け側配線器具や差し込み側の新配線器具の早期開発と生産が望まれる。単路スイッチ用、３路スイッチ用、４路スイッチ用もあった方がよいが、当初は単路スイッチ対応受口だけでも良い。
各種の用途や利用環境に対応するためには、同時に各種の分離型スイッチを開発して規格化を進める必要がある。必要に応じて変更できるように、タイマースイッチの他に単路スイッチ等も受け口に合わせた製品を規格化し市場に供給した方が良い。小型化や薄型化技術により現行サイズに近い方が良い。
電気配線が複雑になるが、スイッチボックスまで電源線の＋−同時配線なら増設変更が容易になり、応用範囲の広いスイッチボックスになる。
４本足連結の場合は、そのまま３路スイッチや発光スイッチや電源線を必要とする器具にも対応できるし、器具の安定性も良い。
【実施例１】
【０００８】  図１は、本発明の１例の正面図である。押しボタンあるいは回転ダイアル１で点灯あるいはタイマー点灯する。工事段階であらかじめ取り付けた新開発の受け側配線器具４に、新開発のセパレートスイッチ２を差し込むだけで良い。
受け側配線器具４の掘溝部にスイッチ配線器具を押し込めば固定できるが、
ビス止めできるようにしておいても良い。図４は底面図であり、７は電源側の配線の挿入穴とその送り配線用の挿入穴である。８は２カ所同時点灯用の配線挿入穴である。
配線器具４の大きさは配線器具の取付枠に合わせる大きさにする。
実際の器具については、既に生産されている配線器具に準じて製作することになる。単路スイッチは比較的簡単だが、タイマースイッチはある程度の大型化はおきるが機能を単純化して小型化薄型化するものとする。
【実施例２】
【０００９】タイマースイッチ配線器具を小型化するとタイマーの機能が制約されるので長時間の設定や細かい動作時間の設定は困難になるので、その場合はある程度大型のタイマースイッチを製作して使用しても良い。
タイマーに図１で示すような差し込み用の足３を、受け側タイプに合わせて加工製作して別売品として販売できる。取り付けは同様になる。
電源が必要になるタイマースイッチも、そのまま利用出来る場合もあるし、設計段階で回路を構成すれば設置できる。
蛍スイッチとも言われる発光型表示スイッチのセパレートタイプも製作すれば、同様に利用できる。スイッチＯＮで点灯、スイッチＯＦＦで消灯する。
押しボタンスイッチも器具タイプに合わせて選択使用できる。
電球器具や引き掛け器具の場合はタイマーリレー内蔵アダプターを器具側に連結し、単路スイッチを押しボタンスイッチに変更すればそのままでタイマー機能付きの照明器具になる。スイッチ機能の本体はタイマーリレー側にあり、押しボタン側は製作容易で小型化の支障はあまり無い。
【産業上の利用の可能性】
【００１０】  短時間の利用場所にあらかじめ設計段階で確定し、図面で指定すれば工事上の問題はない。既設の建物でも簡単な工事で設置することができる。
需要があれば量産できるし、新方式対応の各種の新製品、新住宅ができる。
防犯センサーなどの警報回路を構築する際にも、このような機能スイッチは応用できる可能性があるし、リモコン内蔵方式の開発も予測される。
アラーム機能付きスイッチも開発応用できる。
全体としての小型化薄型化ができれば利用可能性が大きくなるし、小型電池内蔵の電子機器も応用できる。工事段階で指定設置できる。
元々はタイマーと言う単純機器をスイッチサイズにする発想からの製品開発なので、各種の応用機器については個々に研究開発を進める必要がある。
小型化技術や薄型化技術やセンサー技術が開発されてきている。
少しずつ進化するので初期製品はかなり大型でも、順次小型化する。
このような概念はスイッチ器具に限らず、例えば通路誘導灯や蛍光灯スタンドや電気時計等にも応用できる。増設対応型ＰＣと同じで、コンセント機能やラジオ機能や防犯機能や放送機能等を必要なら増設できる製品が開発できる。
【図面の簡単な説明】
【００１１】
【図１】  セパレート型スイッチのセット品の正面図の一例である。
【図２】  セパレート型スイッチのセット品の側面図である。
【図３】  セパレート型スイッチのセット品の平面図で、合体図になる。
【図４】  受け側配線器具の底面図である。
【符号の説明】
【００１２】  １  差し込み側スイッチのスイッチ部分である。
２  差し込み側スイッチの本体である。
３  差し込み側スイッチの差し込み用の足である。
４  受け側配線器具のスイッチ本体である。
５  受け側配線器具を配線器具取付枠に固定するための溝である。
６  受け側配線器具の掘部分であり、掘溝部分に差し込み側スイッチが入り固定できる。
７  受け側配線器具の底面に設けた電源線挿入穴である。
８  受け側配線器具の底面に設けた負荷側配線挿入穴である。
【図１】
2007095643.tif 000003
【図２】
2007095643.tif 000004
【図３】
2007095643.tif 000005
【図４】
2007095643.tif 000006